(57)【要約】【課題】  横枠材に多数の円筒パイプの格子桟をネジ等が露出することなく、外観良く直交して固定する。【解決手段】  横枠材２の溝カバー２５に透孔２９を配置し、この透孔２９に円筒取付金具４を通して中空基部２２の下面に対接して２条のネジ透孔４１からのネジ６によってこの円筒取付金具４を横枠材２に固定する。この円筒取付金具４を、内周面にＥＰＤＭの弾性部材５を接着固定した格子桟３によって被嵌するように、この格子桟３を配置する。格子桟３の内周面には間隔規制突条３１を一体に形成してあるから、この突条３１の先端を円筒取付金具４に対接するようにして格子桟３を押込むようにすれば容易且つ確実に格子桟３の横枠材２に対する交差固定を行なうことができる。【選択図】  図３
2010203037.tif 000002
【特許請求の範囲】
【請求項１】
長寸の円筒パイプと、該円筒パイプより径小にして中空部内にネジ透孔を配置した短寸の円筒取付金具と、上記円筒パイプの内径と円筒取付金具の外径の径差に応じた肉厚にして円筒パイプの内周又は円筒取付金具の外周に配置した弾性部材を備え、円筒パイプ取付用の枠材に上記円筒取付金具をそのネジ透孔を貫通して枠材に螺入したネジによって固定し且つ該円筒取付金具に上記弾性部材を介して上記円筒パイプを被嵌することによって該弾性部材によって該円筒パイプを弾発保持して上記枠材に交差固定してなることを特徴とする円筒パイプ固定構造。
【請求項２】
上記円筒取付金具を、アルミ押出材又は合成樹脂押出材にして中空部内のネジ透孔を複数条配置して形成してなることを特徴とする請求項１に記載の円筒パイプ固定構造。
【請求項３】
上記円筒パイプの内周面又は円筒取付金具の外周面に、上記円筒パイプと円筒取付金具の間隔を規制する間隔規制突条を配置してなることを特徴とする請求項１又は２に記載の円筒パイプ固定構造。
【請求項４】
上記弾性部材を、合成ゴム系の部材としてなることを特徴とする請求項１、２又は３に記載の円筒パイプ固定構造。
【請求項５】
上記円筒パイプ取付用の枠材を、中空基部とその底面に開口溝を形成する前後の突条を有する枠材本体と、該枠材本体の上記開口溝を閉塞するように上記前後の突条にスナップイン乃至スライド係止した溝カバーとを備えた割型のアルミ押出材によるものとし、上記円筒取付金具のネジによる枠材への固定を、該溝カバーの透孔を介して上記中空基部の底面にネジを螺入することによって該円筒取付金具を部分的に溝カバーから突出し、上記円筒パイプの枠材への交差固定を該溝カバーに対して行ってなることを特徴とする請求項１、２、３又は４に記載の円筒パイプ固定構造。
【発明の詳細な説明】
【技術分野】
【０００１】
本発明は、屋外構築物、門扉、面格子、建具等において横枠や縦枠の枠材に対して、円筒パイプの格子桟や支柱を交差固定するに用いる円筒パイプ固定構造に関する。
【背景技術】
【０００２】
枠材に対して格子桟を交差固定する固定構造として、例えば面格子や引戸に見られるように、格子桟の中空部内に配置したタッピングホールに対して、枠材の裏面や側面からネジを螺入してネジ固定した後に、枠材の裏面や側面にネジ頭を被覆するカバー材を固定するもの、枠材と格子桟にそれぞれ相互に嵌め合う切欠加工を施し、枠材の切欠加工部位に格子桟の切欠加工部位を圧入固定するもの等が知られて且つ用いられている。
【先行技術文献】
【特許文献】
【０００３】
【特許文献１】特開平９−２８７３６４号公報
【特許文献２】特開平１０−７２９９０号公報
【発明の概要】
【発明が解決しようとする課題】
【０００４】
このように枠材に対して格子桟をネジ固定したものにあっては、そのネジの露出を防止して強固な固定を行うことができ、また嵌め合い固定するものにあってはスリット状の切欠加工部位が僅かに表れるも同じく強固な固定を行うことができるが、ネジ固定するものは、上記面格子や引戸のように、工場乃至設置現場において予め組立を行ってその完成後に所定部位に対して設置するものとされ、嵌め合い固定のものにあってはその圧入に機械力を必要とするから、工場で完成品とした後に出荷するものとされるところ、例えば、支柱に横枠を架設したフレームに対して、その外観デザインの多様化のために横枠の長手方向中間に更に支柱や格子桟を設置する場合の如くに、既設の横枠に対してこれらを後付的に設置する作業手順としたものにあっては、このようなネジ固定や嵌め合い固定によって支柱や格子桟を設置することができないという結果となり易い。
【０００５】
また、この種の支柱や格子桟は、矩形パイプとされるのが一般であるところ、矩形に代えて円形の円筒パイプとすれば、デザインの多様化を行うことが可能となる。
【０００６】
本発明はかかる事情に鑑みてなされたもので、その解決課題とするところは、可及的簡易な構造にして、上記後付的な場合を含めて既設の横枠や縦枠の枠材に対して円筒パイプを可及的容易にして確実且つ外観よく固定し得るようにした円筒パイプ固定構造を提供するにある。
【課題を解決するための手段】
【０００７】
上記課題に沿って本発明は、円筒パイプ取付用の枠材に対して円筒取付金具をネジ止めし、該円筒取付金具に対して、該円筒取付金具の外径より径大な内径を有する円筒パイプを被嵌するとともに該被嵌を円筒パイプと円筒取付金具間に弾性部材を介設して行うことによってこれらの径差を吸収して、揺動やガタツキのない円筒パイプの枠材に対する交差固定を行うようにしたものであって、即ち、請求項１に記載の発明を、長寸の円筒パイプと、該円筒パイプより径小にして中空部内にネジ透孔を配置した短寸の円筒取付金具と、上記円筒パイプの内径と円筒取付金具の外径の径差に応じた肉厚にして円筒パイプの内周又は円筒取付金具の外周に配置した弾性部材を備え、円筒パイプ取付用の枠材に上記円筒取付金具をそのネジ透孔を貫通して枠材に螺入したネジによって固定し且つ該円筒取付金具に上記弾性部材を介して上記円筒パイプを被嵌することによって該弾性部材によって該円筒パイプを弾発保持して上記枠材に交差固定してなることを特徴とする円筒パイプ固定構造としたものである。
【０００８】
請求項２に記載の発明は、上記に加えて、円筒取付金具を押出材によって可及的簡易に形成するとともに枠材に対する円筒取付金具の固定を安定したものとしてその回動やこれによる緩み等のトラブルを生じることのないように、これを、上記円筒取付金具を、アルミ押出材又は合成樹脂押出材にして中空部内のネジ透孔を複数条配置して形成してなることを特徴とする請求項１に記載の円筒パイプ固定構造としたものである。
【０００９】
請求項３に記載の発明は、同じく上記に加えて、円筒パイプと円筒取付金具の相対的な位置関係を規制し、上記弾性部材を介した円筒パイプの被嵌を確実に行うものとするように、これを、上記円筒パイプの内周面又は円筒取付金具の外周面に、上記円筒パイプと円筒取付金具の間隔を規制する間隔規制突条を配置してなることを特徴とする請求項１又は２に記載の円筒パイプ固定構造としたものである。
【００１０】
請求項４に記載の発明は、同じく上記に加えて、円筒パイプと円筒取付金具間に介設した弾性部材を、弾性に加えて摩擦抵抗を有する好ましい形態のものとして、円筒パイプの安定した保持を確実に行うものとするように、これを、上記弾性部材を、合成ゴム系の部材としてなることを特徴とする請求項１、２又は３に記載の円筒パイプ固定構造としたものである。
【００１１】
請求項５に記載の発明は、同じく上記に加えて、例えば、スクリーンユニットのように、中空基部に取付金具を用いて複数の桟等を取り付け且つ該取付金具を被覆する前後の突条を備えるとともに前後の突条間の開口溝を溝カバーによって閉塞するようにした枠材に対して上記支柱や格子桟を交差固定し得るものとするように、これを、上記円筒パイプ取付用の枠材を、中空基部とその底面に開口溝を形成する前後の突条を有する枠材本体と、該枠材本体の上記開口溝を閉塞するように上記前後の突条にスナップイン乃至スライド係止した溝カバーとを備えた割型のアルミ押出材によるものとし、上記円筒取付金具のネジによる枠材への固定を、該溝カバーの透孔を介して上記中空基部の底面にネジを螺入することによって該円筒取付金具を部分的に溝カバーから突出し、上記円筒パイプの枠材への交差固定を該溝カバーに対して行ってなることを特徴とする請求項１、２、３又は４に記載の円筒パイプ固定構造としたものである。
【００１２】
本発明は、これらをそれぞれ発明の要旨として上記課題解決の手段としたものである。
【発明の効果】
【００１３】
本発明は以上のとおりに構成したから、請求項１に記載の発明は、円筒パイプ取付用の枠材に対して円筒取付金具をネジ止めし、該円筒取付金具に対して、該円筒取付金具の外径より径大な内径を有する円筒パイプを被嵌するとともに該被嵌を円筒パイプと円筒取付金具間に弾性部材を介設して行うことによってこれらの径差を吸収して、揺動やガタツキのない円筒パイプの枠材に対する交差固定を行うようにして、可及的簡易な構造にして、上記後付的な場合を含めて既設の横枠や縦枠の枠材に対して円筒パイプを可及的容易にして確実且つ外観よく固定し得るようにした円筒パイプ固定構造を提供することができる。
【００１４】
請求項２に記載の発明は、上記に加えて、円筒取付金具を押出材によって可及的簡易に形成するとともに枠材に対する円筒取付金具の固定を安定したものとしてその回動やこれによる緩み等のトラブルを生じることのないものとすることができる。
【００１５】
請求項３に記載の発明は、同じく上記に加えて、円筒パイプと円筒取付金具の相対的な位置関係を規制し、上記弾性部材を介した円筒パイプの被嵌を確実に行うものとすることができる。
【００１６】
請求項４に記載の発明は、同じく上記に加えて、円筒パイプと円筒取付金具間に介設した弾性部材を、弾性に加えて摩擦抵抗を有する好ましい形態のものとして、円筒パイプの安定した保持を確実に行うものとすることができる。
【００１７】
請求項５に記載の発明は、同じく上記に加えて、例えば、スクリーンユニットのように、中空基部に取付金具を用いて複数の桟等を取り付け且つ該取付金具を被覆する前後の突条を備えるとともに前後の突条間の開口溝を溝カバーによって閉塞するようにした枠材に対して上記支柱や格子桟を交差固定し得るものとすることができる。
【図面の簡単な説明】
【００１８】
【図１】スクリーンの正面図である。
【図２】スクリーンの部分横断面図である。
【図３】枠材に格子桟を固定する状態を示す分解斜視図である。
【図４】枠材に対する格子桟の固定状態を示す縦断面図である。
【図５】格子桟と円筒取付金具の関係を示すＡ―Ａ線断面図である。
【発明を実施するための形態】
【００１９】
以下図面の例に従って本発明を更に具体的に説明すれば、Ａは、例えば、門フレームの一部や袖部分に装着することによって門フレームの装飾を行なうようにしたアルミ製のスクリーンであり、該スクリーンＡは、支柱１に支持した横架材１１に一端を固定し、他端を壁面に固定することによって上位の横枠材２を架設状に配置し且つ該横枠材２に多数の格子桟３を交差固定したものとしてあり、このとき該格子桟３は、これを長寸の円筒パイプとしてあり、該円筒パイプの格子桟３は、これより径小にして中空部内にネジ透孔４１を配置した短寸の円筒取付金具４と、上記円筒パイプの内径と円筒取付金具４の外径の径差に応じた肉厚にして円筒パイプの格子桟３の内周又は円筒取付金具４の外周に配置した弾性部材５を備えることによって、上記格子桟取付用の上記横枠材２に上記円筒取付金具４をそのネジ透孔４１を貫通して枠材２に螺入したネジ６によって固定し且つ該円筒取付金具４に上記弾性部材５を介して上記格子桟３を被嵌することによって該弾性部材５によって該格子桟３を弾発保持して上記横枠材２に交差固定したものとしてある。
【００２０】
本例にあって、上記格子桟取付用の横枠材２は、これを、中空基部２２とその底面に開口溝を形成する前後の突条２３を有する枠材本体２１と、該枠材本体２１の上記開口溝を閉塞するように上記前後の突条２３にスナップイン乃至スライド係止した溝カバー２５とを備えた割型のアルミ押出材によるものとし、上記円筒取付金具４のネジ６による枠材２への固定を、該溝カバー２５の透孔２９を介して上記中空基部２２の底面にネジ６を螺入することによって該円筒取付金具４を部分的に溝カバー２５から突出し、上記格子桟３の横枠材２への交差固定を該溝カバー２５に対して行ったものとしてある。
【００２１】
本例の横枠材２、特にその枠材本体２１は、矩形断面の中空基部２２とその前後両端から同長に突出した平行一対の突条２３の各下端部分に、本例にあってスナップイン係止一方の係止突条２４をそれぞれ配置し且つ中空基部２２の底板にネジ受用の厚肉部を設けたアルミ押出材を用いて、これに切断等の加工を施したものとしてあり、該枠材本体２１は、その中空基部２２の前後幅を７乃至８ｃｍ、高さを１０数ｃｍ、平行一対の突条２３の突出幅を数ｃｍ、例えば３ｃｍ程度としたものとしてある。
【００２２】
横枠材２の上記枠材本体２１の開口溝を閉塞する溝カバー２５は、上記中空基部２２の前後幅と略同幅のカバー基部２６と、その前後端にスナップイン係止他方の係止溝条２８を配置したアルミ押出材を用いて、同じくこれに切断等の加工を施したものとしてあり、このとき該係止溝条２８は、カバー基部２６の前後端から突出した脚条２７の突出方向中間位置にそれぞれ前後外方に向けて凹陥することによってこれを形成してある。このとき溝カバー２５は、そのカバー基部２６の前後方向中間、特に中央にして格子桟設置箇所に上記透孔２９を透設してあり、該透孔２９は、これを円筒取付金具４の外径に応じて、これを嵌挿し得るようにこれと略同等の、例えば２ｃｍ程度の径のものとしてある。
【００２３】
本例の格子桟３は、アルミ押出材を用いて、これに切断等の加工を施した、例えば４ｃｍ程度の外径を有する断面円形の円筒パイプとし、本例にあっては、その内周面に、該円筒パイプと円筒取付金具４の間隔を規制する間隔規制突条３１を配置したものとしてあり、本例にあって該間隔規制突条３１は、該格子桟３を円筒取付金具４に被嵌したとき、円筒取付金具４の外周に先端が対接するように格子桟３の中心に向けて突出した一対にして、例えば１ｃｍ程度の突出幅を有するものとしてある。
【００２４】
本例の円筒取付金具４は、これを、アルミ押出材又は合成樹脂押出材、特に切断等の加工を施したアルミ押出材にして中空部内のネジ透孔４１を複数条配置して形成した、例えば、上記円筒パイプの格子材３の内径の１／２の２ｃｍ程度の外径を有する断面円形にして短寸、例えば６ｃｍ程度の長さの円筒パイプ部材によるものとしてあり、その中空部内の１８０度の位置に２条のネジ透孔４１を対面するように配置してあり、このとき本例のネジ透孔４１は、例えばタッピングホールのようにその円周の一部にスリットを備えたものとするも、内径を上記ネジ６のネジ径より僅かに大きく、該ネジ６のネジ軸の挿通をなし得るようにしてある。
【００２５】
本例の弾性部材５は、これを、合成ゴム系の部材としてあり、本例にあって該弾性部材５は、例えばＥＰＤＭのように、弾性とともに摩擦抵抗をある程度備えた好ましい形態のものとしてあり、本例にあって該弾性部材５は、上記円筒パイプの格子桟３の内径と円筒取付金具４の外径の径差の１／２程度の肉厚を有して、例えば上記格子桟３の内周面に配置した一対の間隔規制突条３１の幅を開口して断面Ｃ字状に押出成形した押出材に切断加工を施したものとしてある。
【００２６】
このように形成した横枠材２に対する、上記円筒取付金具４及び弾性部材５を用いた格子桟３の交差固定は、これを、横枠材２の溝カバー２５の透孔２９を介して上記中空基部２２の底面にネジ６を螺入することによって該円筒取付金具４を部分的に溝カバー２５から突出し、上記円筒パイプの格子桟３の横枠材２への交差固定を該溝カバー２５に対して行ったものとしてある。
【００２７】
これを格子桟３固定の方法によって説明すれば、横枠材２にスナップイン係止してその開口溝を閉塞した溝カバー２５に透設した格子桟位置の透孔２９に、その外側から円筒取付金具４を枠材本体２１の開口溝内に挿入してその先端を中空基部２２の下面に対接して、該円筒取付金具４を溝カバー２５から部分的に突出、本例にあっては数ｃｍ、例えば３ｃｍ程度突出した状態とし、該突出部側から上記２条のネジ透孔２９にネジ６を挿入して該ネジ６を中空基部２２の、本例にあってネジ受部を配置した底板に螺入することによって、該円筒取付金具４をその円周方向二箇所で横枠材２にネジ６固定し、上記溝カバー２５から突出した突出部を受入れ、先端が溝カバー２５に対接するように、該円筒取付金具４を格子桟３によって被嵌すればよく、これによって横枠材２に格子桟３を交差固定、本例にあっては直交固定することができる。
【００２８】
このとき、上記弾性部材５は、これを円筒取付金具４の外周面に、例えば接着して予め固定することもできるが、本例にあっては、上記断面Ｃ字状の弾性部材５の開口溝に、上記間隔規制突条３１を受入れるように、格子桟３の内周面に、例えば接着して予め固定することによってこれに一体化してあり、該弾性部材５の固定状態で格子桟３と円筒取付金具４相互の装着を行なうようにしてあり、該装着は、例えば格子桟３を円筒取付金具４にやや傾斜し、その間隔規制突条３１を円筒取付金具４の外周面に宛がうように弾性部材５をやや圧縮しながら格子桟３を円筒取付金具４に押付け状に被嵌することによって、格子桟３の横枠材２に対する交差固定を容易且つ確実に行なうことができる。
【００２９】
このように横枠材２に交差固定した格子桟３は、円筒取付金具４と弾性部材５を用いた簡易な構造にして、その外周面にネジ６が露出することなく、先端を横枠材２、特に溝カバー２５に対接し、横枠材２と一体化して良好な納まり外観を呈した美麗なものとすることができ、この種の枠材２を有するフレームに格子桟３を交差固定するに好適な構造のものとすることができる。
【００３０】
図中７は下位の横枠材であり、本例にあって該下位の横枠材７は、上記円筒取付金具４と弾性部材５を用いて上記上位の横枠材２に格子桟３を交差固定した後に、上記と同一の円筒取付金具４を用いて、これを同じくネジ６で該横枠材７に固定して、該円筒取付金具４を格子桟３に挿入し且つ格子桟３からネジ７１止めするようにその配置を行なってスクリーンＡを組立てるものとしてあり、このとき、該横枠材７は、これを格子桟３の下部とともに地中に埋込設置するものとしてある。
【００３１】
図示した例は以上のとおりとしたが、上記円形パイプを支柱とすること、枠材を縦枠材としてこれに円形パイプを交差固定すること、横枠材乃至縦枠材の枠材を単一にして一体の押出材による枠材とすること、円形パイプ及び円形取付金具の先端を傾斜先端とすることによって円形パイプの交差固定を横枠材に対して傾斜固定したものとすること、既設の枠材に対して円形パイプを交差固定し、円形パイプの他端を塞ぐ枠材を常法に従って配置するか、該他端を地中や壁面に埋込状とすることによって、円形パイプの後付的な交差固定を行なうようにすること、円筒取付金具を合成樹脂押出材に切断等の加工を施したものとすること、弾性部材を発泡合成樹脂によるものとすること、間隔規制突条を円筒取付金具の外周面に配置する場合を含めて周方向に複数配置すること等を含めて、枠材、円筒パイプ、円筒取付金具、弾性部材、ネジ、必要に応じて用いる間隔規制突条等の各具体的形状、構造、材質、これらの関係、これらに対する付加等は、上記発明の要旨に反しない限り様々な形態のものとすることができる。
【符号の説明】
【００３２】
Ａ  スクリーン
１  支柱
１１  横架材
２  上位の横枠材
２１  枠材本体
２２  中空基部
２３  突条
２４  係止突条
２５  溝カバー
２６  カバー基部
２７  脚条
２８  係止溝条
２９  透孔
３  格子桟
３１  間隔規制突条
４  円筒取付金具
４１  ネジ透孔
５  弾性部材
６  ネジ
７  下位の横枠材
７１  ネジ
【図１】
2010203037.tif 000003
【図２】
2010203037.tif 000004
【図３】
2010203037.tif 000005
【図４】
2010203037.tif 000006
【図５】
2010203037.tif 000007